(57)【特許請求の範囲】
【請求項１】
自装置周辺から特性の異なる複数種類の環境情報を取得する取得手段と、
前記環境情報の各々の特性に応じた報知方法で報知を行う報知手段と、
前記報知方法の各々について報知を行う前記環境情報の種類と当該環境情報のレベルとを定めた設定情報に基づき、前記取得手段が取得した前記環境情報に応じて、前記報知方法の切り替え又は報知レベルを制御する制御手段と、
を備え、
前記制御手段は、前記取得手段で取得された全ての種類の前記環境情報のレベルが、前記設定情報に定められた対応する前記環境情報のレベルを上回る場合、全ての前記報知方法を用いて最大の報知レベルで報知を行う電子機器。
【請求項２】
前記制御手段は、前記取得手段で取得された全ての種類の前記環境情報のレベルが、前記設定情報に定められた対応する前記環境情報のレベルを上回る場合、外部装置に報知を要求する請求項１に記載の電子機器。
【請求項３】
前記制御手段は、前記取得手段で取得された前記環境情報のうち、一部の種類の環境情報のレベルが、前記設定情報に定められた対応する前記環境情報のレベルを上回る場合に、この環境情報の特性に応じた報知方法を抑制し、当該報知方法以外の他の報知方法を用いて報知を行う請求項１又は２に記載の電子機器。
【請求項４】
前記取得手段は、自装置周辺の明るさを前記環境情報として取得し、
前記報知手段は、発光による報知方法により報知を行う発光手段を有し、
前記制御手段は、前記取得手段で取得される明るさの程度に応じて、前記発光手段の発光レベルを制御する請求項１〜３の何れか一項に記載の電子機器。
【請求項５】
前記取得手段は、自装置にかかる加速度を前記環境情報として取得し、
前記報知手段は、振動による報知方法により報知を行う振動発生手段を有し、
前記制御手段は、前記取得手段で取得される加速度の程度に応じて、前記振動発生手段が発生する振動レベルを制御する請求項１〜４の何れか一項に記載の電子機器。
【請求項６】
前記取得手段は、自装置周辺の音量を前記環境情報として取得し、
前記報知手段は、音声出力による報知方法により報知を行う音声出力手段を有し、
前記制御手段は、前記取得手段で取得される音量の程度に応じて、前記音声出力手段が出力する出力レベルを制御する請求項１〜５の何れか一項に記載の電子機器。
【請求項７】
コンピュータを、
自装置周辺から特性の異なる複数種類の環境情報を取得する取得手段と、
前記環境情報の各々の特性に応じた報知方法で報知を行う報知手段と、
前記報知方法の各々について報知を行う前記環境情報の種類と当該環境情報のレベルとを定めた設定情報に基づき、前記取得手段が取得した前記環境情報に応じて、前記報知方法の切り替え又は報知レベルを制御する制御手段と、
して機能させ、
前記制御手段は、前記取得手段で取得された全ての種類の前記環境情報のレベルが、前記設定情報に定められた対応する前記環境情報のレベルを上回る場合、全ての前記報知方法を用いて最大の報知レベルで報知を行うプログラム。
【発明の詳細な説明】
【技術分野】
【０００１】
本発明の実施形態は、電子機器及びプログラムに関する。
【背景技術】
【０００２】
従来、携帯電話等の電子機器では、音や光、振動等の報知方法を用いてユーザに報知を行っている。また、係る電子機器では、報知方法を切り替えることが可能となっており、ユーザの手により報知方法を切り替えることが行われている。
【０００３】
また、医療現場において、端末を通じて看護師に通知される情報として、ナースコールや医師からの通知がある。また、従来、患者、看護師、薬品の対応関係が正しいか否かを判定し、その結果がＮＧの場合に通知を行う技術が提案されている。なお、これらの通知は重要であるため、気付かないということがあってはならない。そのため、従来では、上記したような通知を受け付けると、報知を行うことで看護師への注意を促している。
【発明の概要】
【発明が解決しようとする課題】
【０００４】
しかしながら、従来の技術では、ユーザが切り替えなければ報知方法は変更されず、また、変更された報知方法が周囲の環境状態に適さない場合がある。例えば、振動による報知方法を設定している場合、歩行中等の動作時では、その振動に気付かない可能性がある。また、音声出力による報知方法を設定している場合、周囲が騒がしい環境では、その音声出力に気付かない可能性がある。
【課題を解決するための手段】
【０００５】
実施の形態の電子機器は、取得手段と、報知手段と、制御手段とを備える。取得手段は、自装置周辺から特性の異なる複数種類の環境情報を取得する。報知手段は、前記環境情報の各々の特性に応じた報知方法で報知を行う。制御手段は、前記報知方法の各々について報知を行う前記環境情報の種類と当該環境情報のレベルとを定めた設定情報に基づき、前記取得手段が取得した前記環境情報に応じて、前記報知方法の切り替え又は報知レベルを制御する。また、制御手段は、前記取得手段で取得された全ての種類の前記環境情報のレベルが、前記設定情報に定められた対応する前記環境情報のレベルを上回る場合、全ての前記報知方法を用いて最大の報知レベルで報知を行う。
【図面の簡単な説明】
【０００６】
【図１】図１は、本実施形態に係る看護師端末の構成の一例を示す図である。
【図２】図２は、報知方法設定ファイルの一例を模式的に示す図である。
【図３】図３は、報知方法設定ファイルの他の例を模式的に示す図である。
【図４】図４は、報知方法設定ファイルの他の例を模式的に示す図である。
【図５】図５は、看護師端末が行う報知処理の一例を示すフローチャートである。
【発明を実施するための形態】
【０００７】
以下、添付図面を参照して、本発明に係る電子機器及びプログラムの実施形態を詳細に説明する。なお、以下では、看護師が使用する看護師端末に適用した例について説明するが、この実施形態によりこの発明が限定されるものではない。
【０００８】
図１は、本実施形態に係る看護師端末１０の構成の一例を示す図である。看護師端末１０は、看護師により携帯されるノートＰＣ（Personal  Computer）、タブレット端末、ハンディターミナル等の電子機器である。図１に示すように、看護師端末１０は、情報処理を実行するマイクロコンピュータとして、ＣＰＵ１１、ＲＯＭ１２及びＲＡＭ１３を備えている。
【０００９】
ＣＰＵ１１は、ＲＯＭ１２や後述する記憶部１８に記憶された各種プログラムを実行することにより、看護師端末１０の動作を統括的に制御する。ＲＯＭ１２は、基本動作を行うためのプログラムを記憶している。ＲＡＭ１３は、看護師端末１０の主記憶装置であって、ＣＰＵ１１のワークエリアとして機能する。
【００１０】
また、ＣＰＵ１１には、各種の入出力回路（図示せず）を介して、入力部１４及び表示部１５が接続されている。入力部１４は、キーボードやポインティングデバイス等の入力デバイスであって、看護師端末１０の操作者から入力された操作内容をＣＰＵ１１に通知する。表示部１５は、ＬＣＤ（Liquid  Crystal  Display）等の表示デバイスを有し、ＣＰＵ１１の指示に従い各種の情報を表示する。なお、入力部１４をタッチパネル構成とすることで、表示部１５と協働して入力を受け付ける形態としてもよい。
【００１１】
また、ＣＰＵ１１には、各種の入出力回路（図示せず）を介して、センサ部１６、報知部１７、記憶部１８及び通信Ｉ／Ｆ１９が接続されている。センサ部１６は、自装置周辺の環境状態をセンシングする各種のセンシングデバイスを有している。本実施形態では、センシングデバイスとして、光センサ１６１、加速度センサ１６２及び収音部１６３を有している。
【００１２】
ここで、光センサ１６１は、看護師端末１０周辺の明るさ（カンデラ、ルーメン等）をセンシングし、そのセンシング結果となる照度を出力する。加速度センサ１６２は、看護師端末１０にかかる加速度をセンシングし、そのセンシング結果となる加速度を出力する。収音部１６３は、看護師端末１０周辺の音量（デシベル等）をセンシングし、そのセンシング結果となる音量を出力する。なお、センサ部１６が備えるセンシングデバイスは、図１の例の構成に限らず、他のセンシングデバイスを備える形態としてもよい。
【００１３】
報知部１７は、センサ部１６でセンシングされたセンシング結果の特性（明るさ、加速度、音量）に対応する報知デバイスを有し、これら報知デバイスを用いて報知を行う。本実施形態では、報知部１７は報知デバイスとして、光センサ１６１に対応する発光部１７１、加速度センサ１６２に対応する振動発生部１７２、及び、収音部１６３に対応する音声出力部１７３を有している。
【００１４】
ここで、発光部１７１は、ＬＥＤ（Light  Emitting  Diode）等の発光デバイスを有し、後述する報知制御部１１２から指示される発行レベルに従い、発光デバイスを発光することで、光による報知を行う。振動発生部１７２は、振動モータ等の振動発生デバイスを有し、後述する報知制御部１１２から指示される振動報知レベルに従い、振動発生デバイスを駆動することで、振動による報知を行う。音声出力部１７３は、ブザーやスピーカ等の音声出力装置を有し、後述する報知制御部１１２から指示される音量レベルに従い、音声出力装置から音声を出力することで、音による報知を行う。なお、報知部１７が備える報知デバイスは、図１の例の構成に限らず、他の報知デバイスを備える形態としてもよい。
【００１５】
記憶部１８は、ＨＤＤやフラッシュメモリ等の記憶媒体であって、看護師端末１０の制御に係る各種のプログラムや各種の設定ファイルを記憶している。ここで、記憶部１８が記憶する設定ファイルとしては、例えば、報知部１７が備える各報知デバイスでの報知方法を定めた報知方法設定ファイル１８１が挙げられる。
【００１６】
ここで、図２は、報知方法設定ファイル１８１の一例を模式的に示す図であって、発光部１７１の報知方法を定めた報知方法設定ファイル１８１ａを示している。同図に示すように、報知方法設定ファイル１８１ａには、光センサ１６１でセンシングされる照度の程度を表す照度レベルと、発光部１７１の発光強度を表す発光報知レベルとが対応付けて格納されている。
【００１７】
ここで、照度レベルは、所定の基準値（閾値）に基づいて区分けされている。なお、図２では、照度レベルＡINを、ＡIN≦ＡIN1、ＡIN1＜ＡIN≦ＡIN2、ＡIN2＜ＡIN≦ＡIN3、ＡIN3＜ＡIN（但し、ＡIN1＜ＡIN2＜ＡIN3）の４段階に区分けした例を示しているが、これに限らず、例えば、５段階以上に区分けする形態としてもよい。
【００１８】
また、発光報知レベルは、照度レベルの各々に対応付けられている。図２の例では、照度レベルＡIN≦ＡIN1に発光報知レベルＡOUT1が対応付けられており、照度レベルＡIN1＜ＡIN≦ＡIN2に発光報知レベルＡOUT2が対応付けられており、照度レベルＡIN2＜ＡIN≦ＡIN3に発光報知レベルＡOUT3が対応付けられており、照度レベルＡIN3＜ＡINに発光報知レベル“ＮＵＬＬ”が対応付けられている（但し、ＡOUT1＜ＡOUT2＜ＡOUT3）。このように、報知方法設定ファイル１８１ａには、光センサ１６１でセンシングされる照度レベルの上昇に応じて、発光部１７１の発光報知レベルが上昇するよう定義されている。なお、発光報知レベル“ＮＵＬＬ”は、発光部１７１による発光を抑制（オフ）することを意味している。
【００１９】
また、図３は、報知方法設定ファイル１８１の他の例を模式的に示す図であって、振動発生部１７２の報知方法を定めた報知方法設定ファイル１８１ｂを示している。同図に示すように、報知方法設定ファイル１８１ｂには、加速度センサ１６２でセンシングされる加速度の程度を表す加速度レベルと、振動発生部１７２の振動強度を表す振動報知レベルとが対応付けて格納されている。
【００２０】
ここで、加速度レベルは、照度レベルと同様、所定の基準値（閾値）に基づいて区分けされている。なお、図３では、加速度レベルＢINを、ＢIN≦ＢIN1、ＢIN1＜ＢIN≦ＢIN2、ＢIN2＜ＢIN≦ＢIN3、ＢIN3＜ＢIN（但し、ＢIN1＜ＢIN2＜ＢIN3）の４段階に区分けした例を示しているが、これに限らず、例えば、５段階以上に区分けする形態としてもよい。
【００２１】
また、振動報知レベルは、加速度レベルの各々に対応付けられている。図３の例では、加速度レベルＢIN≦ＢIN1に振動報知レベルＢOUT1が対応付けられており、加速度レベルＢIN1＜ＢIN≦ＢIN2に振動報知レベルＢOUT2が対応付けられており、加速度レベルＢIN2＜ＢIN≦ＢIN3に振動報知レベルＢOUT3が対応付けられており、加速度レベルＢIN3＜ＢINに振動報知レベル“ＮＵＬＬ”が対応付けられている（但し、ＢOUT1＜ＢOUT2＜ＢOUT3）。このように、報知方法設定ファイル１８１ｂには、加速度レベルの上昇にあわせて、振動発生部１７２の振動報知レベルが上昇するよう定義されている。なお、振動報知レベル“ＮＵＬＬ”は、振動発生部１７２による振動発生を抑制（オフ）することを意味している。
【００２２】
また、図４は、報知方法設定ファイル１８１の他の例を模式的に示す図であって、音声出力部１７３の報知方法を定めた報知方法設定ファイル１８１ｃを示している。同図に示すように、報知方法設定ファイル１８１ｃには、収音部１６３でセンシングされる音量の程度を表す収音レベルと、音声出力部１７３が出力する音量の程度を表す音声報知レベルとが対応付けて格納されている。
【００２３】
ここで、収音レベルは、照度レベルと同様、所定の基準値（閾値）に基づいて区分けされている。なお、図４では、収音レベルＣINを、ＣIN≦ＣIN1、ＣIN1＜ＣIN≦ＣIN2、ＣIN2＜ＣIN≦ＣIN3、ＣIN3＜ＣIN（但し、ＣIN1＜ＣIN2＜ＣIN3）の４段階に区分けした例を示しているが、これに限らず、例えば、５段階以上に区分けする形態としてもよい。
【００２４】
また、音声報知レベルは、収音レベルの各々に対応付けられている。図４の例では、収音レベルＣIN≦ＣIN1に音声報知レベルＣOUT1が対応付けられており、収音レベルＣIN1＜ＣIN≦ＣIN2に音声報知レベルＣOUT2が対応付けられており、収音レベルＣIN2＜ＣIN≦ＣIN3に音声報知レベルＣOUT3が対応付けられており、収音レベルＣIN3＜ＣINに音声報知レベル“ＮＵＬＬ”が対応付けられている（但し、ＣOUT1＜ＣOUT2＜ＣOUT3）。このように、報知方法設定ファイル１８１ｃには、収音レベルの上昇にあわせて、音声出力部１７３の音声報知レベルが上昇するよう定義されている。なお、音声報知レベル“ＮＵＬＬ”は、音声出力部１７３による音声出力を抑制（オフ）することを意味している。
【００２５】
図１に戻り、通信Ｉ／Ｆ１９は、病院内に設けられたネットワーク（図示せず）と接続可能なインタフェースであり、ネットワークに接続された外部装置との間で各種データの送受信を行う。
【００２６】
次に、看護師端末１０が有する特徴的な機能について説明する。図１に示すように、ＣＰＵ１１は、ＲＯＭ１２や記憶部１８に記憶された所定のプログラムとの協働により、環境情報取得部１１１及び報知制御部１１２を、機能部として実現させる。
【００２７】
環境情報取得部１１１は、センサ部１６から出力される各種センシング結果を、看護師端末１０周辺の環境状態を示した環境情報として取得する。具体的に、環境情報取得部１１１は、光センサ１６１から出力される照度、加速度センサ１６２から出力される加速度及び収音部１６３から出力される音量を、環境情報として取得する。なお、環境情報を取得するタイミングは特に問わず、常時取得する形態としてもよいし、所定の時間間隔毎に取得する形態としてもよい。また、後述するように報知制御部１１２からの要求に応じて、環境情報を取得する形態としてもよい。
【００２８】
報知制御部１１２は、ＣＰＵ１１から報知が指示されると、環境情報取得部１１１で取得された環境情報に基づき、報知部１７の動作を制御することで看護師端末１０を携帯する看護師に報知を行う。ここで、ＣＰＵ１１から報知が指示されるトリガは、特に問わないものとするが、例えば、通信Ｉ／Ｆ１９を介して外部装置から報知の要請（ナースコール等）が行われる場合、予め設定されたスケジュールに基づいてリマインダの報知が指示される場合等が挙げられる。なお、ＣＰＵ１１から報知が指示されたタイミングで、環境情報取得部１１１に環境情報の取得を要求してもよい。
【００２９】
具体的に、報知制御部１１２は、環境情報に含まれた照度の照度レベルに対応する発光報知レベルを、報知方法設定ファイル１８１ａから読み出し、その発光報知レベルを発光部１７１に指示することで、発光部１７１を発光させる。また、報知制御部１１２は、環境情報に含まれた加速度の加速度レベルに対応する振動報知レベルを、報知方法設定ファイル１８１ｂから参照し、その振動報知レベルを振動発生部１７２に指示することで、振動発生部１７２（看護師端末１０）を振動させる。また、報知制御部１１２は、環境情報に含まれた音量の収音レベルに対応する音声報知レベルを、報知方法設定ファイル１８１ｃから参照し、その音声報知レベルを音声出力部１７３に指示することで、音声出力部１７３から音声を出力させる。以下、発光報知レベル、振動報知レベル及び音声報知レベルを総称して“報知レベル”という。
【００３０】
報知に用いる報知デバイスは、特に問わず、発光部１７１、振動発生部１７２及び音声出力部１７３のうち、何れか一又は複数を選択して報知に用いる形態としてもよいし、全ての報知デバイスを用いて報知を行う形態としてもよい。また、報知に用いる報知デバイスが予め設定されている場合には、その報知デバイスを用いて報知を行うものとする。また、報知に用いる報知デバイスで報知レベルが“ＮＵＬＬ”となった場合には、当該報知デバイス以外の他の報知デバイスを用いて報知を行う形態としてもよい。また、全ての報知デバイスで報知レベルが“ＮＵＬＬ”となった場合には、全ての報知デバイスで報知動作を最大レベル等で行う形態としてもよいし、通信Ｉ／Ｆ１９を介して外部の装置に報知を要求する形態としてもよい。
【００３１】
また、報知制御部１１２は、入力部１４に対する操作等に伴い、ＣＰＵ１１から報知の停止が指示されると、報知動作中の報知デバイスを停止させることで、看護師への報知を停止する。
【００３２】
次に、看護師端末１０の動作について説明する。ここで、図５は、看護師端末１０が行う報知処理の一例を示すフローチャートである。なお、本処理の前提として、環境情報取得部１１１により環境情報の取得が行われているものとする。
【００３３】
まず、報知制御部１１２は、ＣＰＵ１１から報知が指示されるまで待機する（ステップＳ１１；Ｎｏ）。ここで、ＣＰＵ１１から報知が指示されると（ステップＳ１１；Ｙｅｓ）、報知制御部１１２は、環境情報取得部１１１で取得された環境情報に含まれる照度、加速度及び音量に基づき、報知方法設定ファイル１８１から、報知に用いる報知デバイスの報知レベルを読み出す（ステップＳ１２）。
【００３４】
続いて、報知制御部１１２は、報知方法設定ファイル１８１から読み出した報知レベルが、全て“ＮＵＬＬ”か否かを判定する（ステップＳ１３）。
【００３５】
ステップＳ１３において、全て“ＮＵＬＬ”と判定した場合（ステップＳ１３；Ｙｅｓ）、報知制御部１１２は、ステップＳ１２で報知レベルを読み出した報知デバイス以外の他の報知デバイスが存在するか否かを判定する（ステップＳ１４）。ここで、他の報知デバイスが存在しないと判定した場合（ステップＳ１４；Ｎｏ）、全ての報知デバイスで報知レベルが“ＮＵＬＬ”となるため、報知制御部１１２は、全ての報知デバイスを最大レベルで動作させ（ステップＳ１５）、ステップＳ１８に移行する。なお、ステップＳ１５での処理内容は、これに限らず、例えば、通信Ｉ／Ｆ１９を介して外部装置に対する報知の要求をあわせて行う形態としてもよい。
【００３６】
また、ステップＳ１４において、他の報知デバイスが存在すると判定した場合（ステップＳ１４；Ｙｅｓ）、報知制御部１１２は、環境情報取得部１１１で取得された環境情報に基づき、報知方法設定ファイル１８１から、当該他の報知デバイスの報知レベルを読み出し（ステップＳ１６）、ステップＳ１３に再び戻る。ステップＳ１３では、ステップＳ１２で読み出した報知レベルと、ステップＳ１６で読み出した報知レベルとについて、全て“ＮＵＬＬ”か否かを判定する。
【００３７】
ステップＳ１３において、読み出した報知レベルに“ＮＵＬＬ”以外の値が含まれる場合（ステップＳ１３；Ｎｏ）、該当する報知デバイスに、その報知レベルを指示することで報知デバイスに報知動作を開始させ（ステップＳ１７）、ステップＳ１８に移行する。
【００３８】
ステップＳ１８では、報知制御部１１２が、ＣＰＵ１１から報知の停止が指示されるまで待機し（ステップＳ１８；Ｎｏ）、報知の停止が指示されると（ステップＳ１８；Ｙｅｓ）、報知制御部１１２は、報知動作中の報知デバイスを停止し（ステップＳ１９）、本処理を終了する。
【００３９】
以上のように、本実施形態によれば、センサ部１６及び環境情報取得部１１１で取得された自装置周辺の環境状態に応じて、報知部１７が有する発光部１７１、振動発生部１７２、音声出力部１７３を切り替えて報知又はその報知レベルを制御する。これにより、看護師端末１０周辺の環境状態に応じた報知方法で報知することができるため、看護師端末１０を操作する看護師への報知をより確実に行うことができる。
【００４０】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００４１】
例えば、上記実施形態の看護師端末１０で実行されるプログラムは、看護師端末１０が備える記録媒体（ＲＯＭ１２又は記憶部１８）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【００４２】
また、上記実施形態の看護師端末１０で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００４３】
１０  看護師端末
１１  ＣＰＵ
１１１  環境情報取得部
１１２  報知制御部
１２  ＲＯＭ
１３  ＲＡＭ
１４  入力部
１５  表示部
１６  センサ部
１６１  光センサ
１６２  加速度センサ
１６３  収音部
１７  報知部
１７１  発光部
１７２  振動発生部
１７３  音声出力部
１８  記憶部
１８１、１８１ａ、１８１ｂ、１８１ｃ  報知方法設定ファイル
１９  通信Ｉ／Ｆ
【先行技術文献】
【特許文献】
【００４４】
【特許文献１】特開２００５−６２９９４号公報
【図１】
0005651621.tif 000002
【図２】
0005651621.tif 000003
【図３】
0005651621.tif 000004
【図４】
0005651621.tif 000005
【図５】
0005651621.tif 000006